(57)【要約】【課題】床下における断熱性を確保することが可能な床下断熱構造及び床下断熱方法を得る。【解決手段】断熱材支持金具２８は、床小梁１４に固定すると、当該断熱材支持金具２８の載置片３４と床小梁１４の間に隙間Ｈが設けられるように形成されており、当該隙間Ｈ内に梁下断熱材３８を嵌合させるように設定されている。隙間Ｈ内に梁下断熱材３８が嵌め込まれた状態で、梁下断熱材３８は断熱材支持金具２８の載置片３４上に載置され、当該梁下断熱材３８と床下断熱材２２の間に梁側面断熱材４０を嵌め込み、梁下断熱材３８と床下断熱材２２の間に梁側面断熱材４２を嵌め込む。これにより、床小梁１４は、下面１４Ｄ１を含んで幅方向の両側から梁用断熱材３０によって覆われることとなる。これにより、当該床小梁１４が外気に触れないようにすることができ、熱橋対策を図り、床下２０における断熱性を確保することが可能となる。【選択図】図１
2020076238.tif 000002
【特許請求の範囲】
【請求項１】
床下に配設され床板及び第１床下断熱材を支持する鋼製の床梁と、
前記床梁に固定され、前記床梁の下面を含み当該床梁の長手方向に対して直交する幅方向の両側から床梁を覆う梁用断熱材を前記床梁の下方側で支持する断熱材支持具と、
を有する床下断熱構造。
【請求項２】
前記断熱材支持具には、前記床梁の下面と対向して配置され前記梁用断熱材が載置される載置片が設けられている請求項１に記載の床下断熱構造。
【請求項３】
前記梁用断熱材は、前記床梁と前記載置片の間に嵌め込まれる梁下断熱材を含んで構成されている請求項２に記載の床下断熱構造。
【請求項４】
前記梁下断熱材は、
前記載置片を支持する支持片が前記床梁の幅方向に沿って進入可能に切り欠かれた切欠き部と、
前記支持片の進入方向に沿った前記切欠き部の奥方に位置し、前記載置片が当接する当接部と、
を含んで構成されている請求項３に記載の床下断熱構造。
【請求項５】
前記梁下断熱材は、
板状を成すと共に、前記切欠き部の奥面を基準として前記床梁の幅方向に沿って前記当接部が設けられた側を構成する第１本体部と、
前記切欠き部が設けられた側を構成する第２本体部と、
を含んで構成され、
前記梁用断熱材は、
前記第１床下断熱材と前記第１本体部の間に配置され、前記床梁の第１側面に当接する第１梁側面断熱材と、
前記第１床下断熱材と前記第２本体部の間に配置され、前記床梁の第２側面に当接する第２梁側面断熱材と、
をさらに含んで構成されている請求項４に記載の床下断熱構造。
【請求項６】
前記梁下断熱材は、それぞれ別部材として形成された前記梁下断熱材、前記第１梁側面断熱材及び前記第２梁側面断熱材によって構成されている請求項５に記載の床下断熱構造。
【請求項７】
前記第１梁側面断熱材は、前記第１床下断熱材と前記第１本体部の間に嵌め込まれ、前記第２梁側面断熱材は、前記第１床下断熱材と前記第２本体部の間に嵌め込まれている請求項６に記載の床下断熱構造。
【請求項８】
前記第１床下断熱材と第１梁側面断熱材及び第２梁側面断熱材の間に第２床下断熱材が設けられている請求項７に記載の床下断熱構造。
【請求項９】
床下に配設され床板及び第１床下断熱材を支持する鋼製の床梁に固定される固定片と、前記床梁の下面を含み当該床梁の長手方向に対して直交する幅方向の両側から床梁を覆う梁用断熱材を載置する載置片と、を含んで構成された断熱材支持具と、
前記載置片を支持する支持片が前記床梁の幅方向に沿って進入可能に切り欠かれた切欠き部が形成された板状の梁下断熱材と、前記床梁の第１側面に当接する第１梁側面断熱材と、前記床梁の第２側面に当接する第２梁側面断熱材と、を含んで構成された前記梁用断熱材と、
を用いた床下断熱材を支持する際に適用され、
前記床梁に前記固定片を固定する固定工程と、
前記梁下断熱材において、前記支持片の進入方向に沿った前記切欠き部の奥方に位置する当接部に前記載置片を当接させ、前記当接部を介して前記載置片上に前記梁下断熱材を載置させる梁下断熱材載置工程と、
前記切欠き部の奥面を基準として前記床梁の幅方向に沿って前記当接部が設けられた側を構成する前記梁下断熱材の第１本体部上に前記第１梁側面断熱材を載置させる第１梁側面断熱材載置工程と、
前記切欠き部の奥面を基準として前記床梁の幅方向に沿って前記切欠き部が設けられた側を構成する前記梁下断熱材の第２本体部上に前記第２梁側面断熱材を載置させる第２梁側面断熱材載置工程と、
を含む床下断熱方法。
【請求項１０】
前記床板の下方側に第２床下断熱材を配置する床下断熱材配置工程が設けられ、前記第１梁側面断熱材載置工程では、前記第１本体部と前記第２床下断熱材の間に前記第１梁側面断熱材を嵌め込み、前記第２梁側面断熱材載置工程では、前記第２本体部と前記第２床下断熱材の間に前記第２梁側面断熱材を嵌め込んでいる請求項９に記載の床下断熱方法。
【発明の詳細な説明】
【技術分野】
【０００１】
本発明は、床下断熱構造及び床下断熱方法に関する。
【背景技術】
【０００２】
下記特許文献１には、スチールハウスにおいて、床下に設けられたリップ溝形鋼の根太（床梁）の下部を、断面形状が溝型状を成す断熱材ユニットで包囲することによって、当該根太が床下の外気に触れないようにして床下における断熱性を確保する技術が開示されている。
【０００３】
具体的に説明すると、根太はリップ溝形鋼で形成されており、断熱材ユニットは、断面形状が溝型状を成して形成され弾性力を有している。当該断熱材ユニットには、根太の長手方向に対して略直交する幅方向の一端側、かつ下部側に形成されたリップ部の端面に対して下向きに当接することで係合されるフック部が形成されており、当該フック部が根太の下部側に形成されたリップ部の端面に対して当接すると、断熱材ユニットの弾性力によりその状態が維持される（係合される）ようになっている。
【先行技術文献】
【特許文献】
【０００４】
【特許文献１】特開平１１−１５９０１９号公報
【発明の概要】
【発明が解決しようとする課題】
【０００５】
上記先行技術では、断熱材ユニットは、根太の幅方向の一端側のリップ部に係合されるようになっている。一方、当該断熱材ユニットの重心は、当該リップ部に係合されるフック部に対して根太の幅方向にずれている。つまり、断熱材ユニットには、フック部を中心とするモーメントが作用することとなる。
【０００６】
先行技術では、断熱材ユニットの弾性力を利用して、当該断熱材ユニットを根太外周のウエブ面、下側フランジ面及びリップ面に密着させるようにしている。そして、これにより、断熱材ユニットの回転が抑制され、断熱材ユニットが安定して支持されるようにしている。
【０００７】
しかしながら、根太や断熱材ユニットには製造上の寸法交差があり、根太に対して断熱材ユニットが密着しない可能性がある。その結果、断熱材ユニットの係合状態が安定せず、当該断熱材ユニットが落下する場合や断熱材ユニットと根太との間に隙間が発生する場合が生じ、床下の断熱性を確保することができない可能性が生じる。
【０００８】
本発明は、上記事実を考慮し、床下における断熱性を確保することが可能な床下断熱構造及び床下断熱方法を提供することを目的とする。
【課題を解決するための手段】
【０００９】
本発明の第１態様に係る床下断熱構造は、床下に配設され床板及び第１床下断熱材を支持する鋼製の床梁と、前記床梁に固定され、前記床梁の下面を含み当該床梁の長手方向に対して直交する幅方向の両側から床梁を覆う梁用断熱材を前記床梁の下方側で支持する断熱材支持具と、を有している。
【００１０】
本発明の第１態様に係る床下断熱構造では、鋼製の床梁と、当該床梁に固定される断熱材支持具と、を備えている。床梁は、床下に配設され床板及び第１床下断熱材を支持しており、断熱材支持具は、床梁の下面を含み当該床梁の幅方向の両側から床梁を覆う梁用断熱材を床梁の下方側で支持している。
【００１１】
このように、本態様では、床梁は、当該床梁の下面を含んで床梁の幅方向の両側から梁用断熱材によって覆われるようになっているため、当該床梁が外気に触れないようにすることができる。したがって、本態様では、熱橋対策を図ることができ、床下における断熱性を確保することが可能となる。
【００１２】
また、本態様では、梁用断熱材は、断熱材支持具によって床梁の下方側で支持されるようになっている。つまり、断熱材支持具は、梁用断熱材の荷重を上側から受けることとなる。このため、例えば、断熱材支持具に対して、梁用断熱材が上から吊り下げられた状態で支持された場合と比較して、梁用断熱材の支持状態は安定する。
【００１３】
なお、本態様における「梁用断熱材を床梁の下方側で支持」は、梁用断熱材を吊す等、梁用断熱材を上側から支持する場合に対して、これと対比する構成を示すものであり、必ずしも梁用断熱材の下面に断熱材支持具が接触し当該梁用断熱材を下面側から支持するというものではない。このため、例えば、梁用断熱材の板厚方向の中間部に断熱材支持具が接触し、梁用断熱材の板厚方向の中間部において当該梁用断熱材を下方側から支持されるようにしてもよい。
【００１４】
本発明の第２態様に係る床下断熱構造は、本発明の第１態様に係る床下断熱構造において、前記断熱材支持具には、前記床梁の下面と対向して配置され前記梁用断熱材が載置される載置片が設けられている。
【００１５】
本発明の第２態様に係る床下断熱構造では、断熱材支持具には、床梁の下面と対向して配置される載置片が設けられており、当該床梁と載置片の間に梁用断熱材を配置することで、当該梁用断熱材は、断熱材支持具の載置片を介して下側から支持されることとなる。
【００１６】
本発明の第３態様に係る床下断熱構造は、本発明の第２態様に係る床下断熱構造において、前記梁用断熱材は、前記床梁と前記載置片との間に嵌め込まれる梁下断熱材を含んで構成されている。
【００１７】
本発明の第３態様に係る床下断熱構造では、梁用断熱材が、床梁と載置片の間に嵌め込まれる梁下断熱材を含んで構成されており、当該梁下断熱材が床梁と載置片との間に嵌め込まれることによって、梁下断熱材が床梁と載置片との間に単に配置された場合と比較して、梁下断熱材をより安定して支持することが可能となる。
【００１８】
本発明の第４態様に係る床下断熱構造は、本発明の第３態様に係る床下断熱構造において、前記梁下断熱材は、前記載置片を支持する支持片が前記床梁の幅方向に沿って進入可能に切り欠かれた切欠き部と、前記支持片の進入方向に沿った前記切欠き部の奥方に位置し、前記載置片が当接する当接部と、を含んで構成されている。
【００１９】
本発明の第４態様に係る床下断熱構造では、梁下断熱材は、切欠き部と当接部とを含んで構成されている。当該切欠き部は、載置片を支持する支持片が床梁の幅方向に沿って進入可能に切り欠かれており、当接部は、当該支持片の進入方向に沿った切欠き部の奥方に位置し、載置片が当接するようになっている。
【００２０】
すなわち、梁下断熱材の当接部が断熱材支持具の載置片に当接した状態で、当該載置片を介して、梁下断熱材は断熱材支持具に載置されることとなる。このように、梁下断熱材に切欠き部を形成し、当該切欠き部の奥方に位置する当接部に載置片を当接させるようにすることで、当該断熱材支持具を介して、床梁の幅方向及び長手方向に沿って梁下断熱材の位置決めをすることが可能となる。
【００２１】
本発明の第５態様に係る床下断熱構造は、本発明の第４態様に係る床下断熱構造において、前記梁下断熱材は、板状を成すと共に、前記切欠き部の奥面を基準として前記床梁の幅方向に沿って前記当接部が設けられた側を構成する第１本体部と、前記切欠き部が設けられた側を構成する第２本体部と、を含んで構成され、前記梁用断熱材は、前記第１床下断熱材と前記第１本体部の間に配置され、前記床梁の第１側面に当接する第１梁側面断熱材と、前記第１床下断熱材と前記第２本体部の間に配置され、前記床梁の第２側面に当接する第２梁側面断熱材と、をさらに含んで構成されている
【００２２】
本発明の第５態様に係る床下断熱構造では、梁下断熱材は板状を成しており、切欠き部の奥面を基準として床梁の幅方向に沿って、当接部が設けられた側を構成する第１本体部と、切欠き部が設けられた側を構成する第２本体部と、を含んで構成されている。また、梁用断熱材は、第１梁側面断熱材と第２梁側面断熱材とをさらに含んで構成されており、第１梁側面断熱材は、第１床下断熱材と第１本体部との間に配置されて床梁の第１側面に当接し、第２梁側面断熱材は、第１床下断熱材と第２本体部との間に配置されて床梁の第２側面に当接するようになっている。
【００２３】
つまり、本態様では、梁用断熱材は、梁下断熱材、第１梁側面断熱材及び第２梁側面断熱材を含んで構成されている。そして、梁下断熱材によって床梁の下面が覆われ、第１梁側面断熱材によって床梁の第１側面が覆われると共に、第２梁側面断熱材によって床梁の第２側面が覆われるようになっている。
【００２４】
このように、梁用断熱材が複数の断熱材によって構成されることによって、一つの断熱材で構成された場合と比較して、梁用断熱材を床梁に密着させた状態で配置することができる。また、本態様では、断熱材支持具に載置された梁下断熱材に、第１梁側面断熱材及び第２梁側面断熱材が載置される。つまり、梁下断熱材を介して、第１梁側面断熱材及び第２梁側面断熱材は断熱材支持具に載置されることとなる。このため、例えば、断熱材支持具に対して、梁用断熱材が上から吊り下げられた状態で支持された場合と比較して、本態様では、梁用断熱材の支持状態は安定する。
【００２５】
本発明の第６態様に係る床下断熱構造は、本発明の第５態様に係る床下断熱構造において、前記梁下断熱材は、それぞれ別部材として形成された前記梁下断熱材、前記第１梁側面断熱材及び前記第２梁側面断熱材によって構成されている。
【００２６】
本発明の第６態様に係る床下断熱構造では、梁下断熱材は、それぞれ別部材として形成された梁下断熱材、第１梁側面断熱材及び第２梁側面断熱材によって構成されているため、梁下断熱材において、梁下断熱材、第１梁側面断熱材及び第２梁側面断熱材が一体となって形成された場合と比較して、床梁の各面に対して密着性を向上させることが可能となる。
【００２７】
本発明の第７態様に係る床下断熱構造は、本発明の第６態様に係る床下断熱構造において、前記第１梁側面断熱材は、前記第１床下断熱材と前記第１本体部の間に嵌め込まれ、前記第２梁側面断熱材は、前記第１床下断熱材と前記第２本体部の間に嵌め込まれている。
【００２８】
本発明の第７態様に係る床下断熱構造では、第１梁側面断熱材が第１床下断熱材と梁下断熱材の第１本体部の間に嵌め込まれているため、単に第１梁側面断熱材が第１床下断熱材と当該第１本体部の間に配置された場合と比較して、梁下断熱材をより安定して支持することが可能となる。また、第２梁側面断熱材が第１床下断熱材と梁下断熱材の第２本体部の間に嵌め込まれているため、単に第２梁側面断熱材が第１床下断熱材と当該第２本体部の間に配置された場合と比較して、梁下断熱材をより安定して支持することが可能となる。
【００２９】
本発明の第８態様に係る床下断熱構造は、本発明の第７態様に係る床下断熱構造において、前記第１床下断熱材と第１梁側面断熱材及び第２梁側面断熱材の間に第２床下断熱材が設けられている。
【００３０】
本発明の第８態様に係る床下断熱構造では、第１床下断熱材と第１梁側面断熱材及び第２梁側面断熱材の間に第２床下断熱材が設けられることによって、床上と床下の間の断熱効果をさらに向上させることができる。
【００３１】
本発明の第９態様に係る床下断熱方法は、床下に配設され床板及び第１床下断熱材を支持する鋼製の床梁に固定される固定片と、前記床梁の下面を含み当該床梁の長手方向に対して直交する幅方向の両側から床梁を覆う梁用断熱材を載置する載置片と、を含んで構成された断熱材支持具と、前記載置片を支持する支持片が前記床梁の幅方向に沿って進入可能に切り欠かれた切欠き部が形成された板状の梁下断熱材と、前記床梁の第１側面に当接する第１梁側面断熱材と、前記床梁の第２側面に当接する第２梁側面断熱材と、を含んで構成された前記梁用断熱材と、を用いた床下断熱材を支持する際に適用され、前記床梁に前記固定片を固定する固定工程と、前記梁下断熱材において、前記支持片の進入方向に沿った前記切欠き部の奥方に位置する当接部に前記載置片を当接させ、前記当接部を介して前記載置片上に前記梁下断熱材を載置させる梁下断熱材載置工程と、前記切欠き部の奥面を基準として前記床梁の幅方向に沿って前記当接部が設けられた側を構成する前記梁下断熱材の第１本体部上に前記第１梁側面断熱材を載置させる第１梁側面断熱材載置工程と、前記切欠き部の奥面を基準として前記床梁の幅方向に沿って前記切欠き部が設けられた側を構成する前記梁下断熱材の第２本体部上に前記第２梁側面断熱材を載置させる第２梁側面断熱材載置工程と、を含んでいる。
【００３２】
本発明の第９態様に係る床下断熱方法では、断熱材支持具及び梁用断熱材が用いられており、断熱材支持具は、固定片と載置片とを含んで構成されている。固定片は、床下に配設され床板及び第１床下断熱材を支持する鋼製の床梁に固定されるようになっており、載置片は、梁用断熱材を載置するようになっている。
【００３３】
一方、梁用断熱材は、床梁の下面を含み当該床梁の幅方向の両側から床梁を覆うようになっており、梁下断熱材と第１梁側面断熱材と第２梁側面断熱材とを含んで構成されている。梁下断熱材には、断熱材支持具の載置片を支持する支持片が床梁の幅方向に沿って進入可能に切り欠かれた切欠き部が形成されており、当該支持片の進入方向に沿った切欠き部の奥方には当接部が設けられ、当該当接部に断熱材支持具の載置片が当接するようになっている。
【００３４】
さらに、梁下断熱材は、切欠き部の奥面を基準として、床梁の幅方向に沿って当接部が設けられた側が第１本体部とされ、切欠き部が設けられた側が第２本体部とされている。また、第１梁側面断熱材は、床梁の第１側面に当接し、第２梁側面断熱材は、床梁の第２側面に当接するようになっている。
【００３５】
ここで、本態様は、固定工程と、梁下断熱材載置工程と、第１梁側面断熱材載置工程と、第２梁側面断熱材載置工程と、を含んでいる。固定工程では、床梁に断熱材支持具の固定片を固定する。また、梁下断熱材載置工程では、梁下断熱材の当接部に断熱材支持具の載置片を当接させ、当該当接部を介して載置片上に梁下断熱材を載置させる。さらに、第１梁側面断熱材載置工程では、梁下断熱材の第１本体部上に第１梁側面断熱材を載置させ、第２梁側面断熱材載置工程では、梁下断熱材の第２本体部上に第２梁側面断熱材を載置させる。
【００３６】
このように、梁用断熱材が複数の断熱材によって構成されることによって、一つの断熱材によって構成された場合と比較して梁用断熱材を床梁に密着させた状態で配置することができる。また、本態様では、断熱材支持具に載置された梁下断熱材に、第１梁側面断熱材及び第２梁側面断熱材が載置される。つまり、梁下断熱材を介して、第１梁側面断熱材及び第２梁側面断熱材は断熱材支持具に載置されることとなる。このため、例えば、断熱材支持具に対して、梁用断熱材が上から吊り下げられた状態で支持された場合と比較して、本態様では、梁用断熱材の支持状態は安定する。
【００３７】
本発明の第１０態様に係る床下断熱方法は、本発明の第９態様に係る床下断熱方法において、前記床板の下方側に第２床下断熱材を配置する床下断熱材配置工程が設けられ、前記第１梁側面断熱材載置工程では、前記第１本体部と前記第２床下断熱材の間に前記第１梁側面断熱材を嵌め込み、前記第２梁側面断熱材載置工程では、前記第２本体部と前記第２床下断熱材の間に前記第２梁側面断熱材を嵌め込んでいる。
【００３８】
本発明の第１０態様に係る床下断熱方法では、床下断熱材配置工程において、床板の下方側に第２床下断熱材を配置する。この場合、第１梁側面断熱材載置工程では、当該第２床下断熱材と梁下断熱材の第１本体部の間に第１梁側面断熱材が嵌め込まれ、第２梁側面断熱材載置工程では、当該第２床下断熱材と梁下断熱材の第２本体部の間に第２梁側面断熱材が嵌め込まれる。つまり、本態様では、床板と第１梁側面断熱材及び第２梁側面断熱材の間に第２床下断熱材が設けられるため、床上と床下の間の断熱効果をさらに向上させることができる。
【発明の効果】
【００３９】
以上説明したように、本態様に係る床下断熱構造及び床下断熱方法は、床下における断熱性を確保することができる、という優れた効果を有する。
【図面の簡単な説明】
【００４０】
【図１】第１実施形態に係る床下断熱構造が適用された床下の構成を示す断面図である。
【図２】第１実施形態に係る床下断熱構造に用いられる断熱材支持金具の構成を示す斜視図である。
【図３】第１実施形態に係る床下断熱方法において、床小梁の側壁部に断熱材支持具を固定させる前の状態を示す分解斜視図である。
【図４】第１実施形態に係る床下断熱方法において、床小梁の下壁部と断熱材支持具の載置片の間に梁下断熱材を嵌め込む前の状態を示す分解斜視図である。
【図５】第１実施形態に係る床下断熱方法において、床小梁の両側壁部側かつ床下断熱材と梁下断熱材の間に梁側面断熱材をそれぞれ嵌め込む前の状態を示す分解斜視図である。
【図６】第１実施形態に係る床下断熱構造の変形例１を示す断面図である。
【図７】第１実施形態に係る床下断熱構造の変形例２を示す断面図である。
【図８】第２実施形態に係る床下断熱構造に用いられる断熱材支持金具の構成を示す斜視図である。
【図９】第２実施形態に係る床下断熱構造が適用された床下の構成を示す断面図である。
【図１０】第２実施形態に係る床下断熱方法において、床小梁の側壁部に断熱材支持具を固定させる前の状態を示す分解斜視図である。
【図１１】第２実施形態に係る床下断熱方法において、床小梁の下壁部と断熱材支持具の載置片の間に梁下断熱材を嵌め込む前の状態を示す分解斜視図である。
【図１２】第２実施形態に係る床下断熱方法において、梁下断熱材の切欠き部に切欠き用断熱材を嵌め込む前の状態を示す分解斜視図である。
【図１３】第２実施形態に係る床下断熱方法において、床小梁の両側壁部側かつ床下断熱材と梁下断熱材の間に梁側面断熱材をそれぞれ嵌め込む前の状態を示す分解斜視図である。
【図１４】第２実施形態に係る床下断熱構造に用いられる断熱材支持金具の変形例１を示す断面図である。
【図１５】第２実施形態に係る床下断熱構造に用いられる断熱材支持金具の変形例２を示す、（Ａ）は断面図であり、（Ｂ）は、断熱材支持金具の当接面同士が互いに近づいている状態を示す正面図、（Ｃ）は、断熱材支持金具の当接面同士が互いに離間している状態を示す正面図である。
【図１６】（Ａ）〜（Ｃ）は、第３実施形態に係る床下断熱構造をそれぞれ示す断面図である。
【発明を実施するための形態】
【００４１】
以下、図面を用いて、本実施の形態に係る床下断熱構造が適用されたユニット建物の床部における一実施形態について説明する。
【００４２】
＜第１実施形態＞
まず、第１実施形態に係る床下断熱構造について説明する。
【００４３】
（床下断熱構造の構成）
図示はしないが、一般に、建物ユニットは、略箱形を成しており、建物ユニットの四隅には、それぞれ同じ長さを有する角筒状の柱が立設されている。建物ユニットの床部において、建物ユニットの桁方向（長手方向）に沿って隣り合う柱間は床大梁によって架け渡されており、建物ユニットの妻方向（短手方向）に沿って隣り合う柱間は、床大梁によってそれぞれ架け渡されている。また、建物ユニットにおいて、妻方向に対向する図示しない床大梁間には、複数の床小梁が所定の間隔で架け渡されている。
【００４４】
図１には、建物ユニット１０の床部１２において、複数設けられた床小梁のうちの一つの床小梁（床梁）１４を含む床下断熱構造を示す断面図が示されている。複数の床小梁１４は、それぞれ上面高さが略同じとなるように設定されており、床小梁１４の上部１６には、図示はしないブラケットが固定されている。
【００４５】
当該ブラケットは、断面形状が下方側を開口とするハット型とされ、ブラケットの上壁部は、床小梁１４の上面１４Ａ１に当接されている。また、ブラケットの両側壁部は、床小梁１４の両側面１４Ｂ１、１４Ｃ１にそれぞれ当接され、ブラケットの両側壁部から水平に張り出すフランジ部には、床上１８と床下２０の間を断熱する床下断熱材２２がそれぞれ載置されている。
【００４６】
この床下断熱材２２は、例えば、ウレタンフォーム等の合成樹脂の発泡体からなる発泡系断熱材により板状に形成されており、所定の厚みを有した矩形板状を成している。また、床下断熱材２２の上には、床板２４が設けられている。当該床板２４として、例えば、パーティクルボードが用いられており、床板２４の上には、図示はしないがフローリング等の床仕上げ材が敷設されている。
【００４７】
一方、床小梁１４の下部２１には、後述する断熱材支持金具（断熱材支持具）２８が固定されており、当該断熱材支持金具２８によって梁用断熱材３０（後述する）が支持されている。なお、梁用断熱材３０は、床下断熱材２２と同様に、例えば、ウレタンフォーム等の合成樹脂の発泡体からなる発泡系断熱材により板状に形成されており、梁用断熱材３０は、床下断熱材２２に接触した状態で配置されている。
【００４８】
（断熱材支持具の構成）
ここで、本実施形態に係る断熱材支持具の構成について説明する。
【００４９】
図２には、本実施の形態に係る断熱材支持金具２８を左斜め前方側から見た斜視図が示されている。図２に示される断熱材支持金具２８は、矩形板状の金属板がプレス加工により形成されたものである。金属板としては、例えば、表面に防錆塗装を施した炭素鋼、ステンレス鋼などの合金鋼、銅ニッケル合金などの非鉄金属などの各種金属材料を用いることが可能である。なお、本実施形態では、断熱材支持金具２８は、金属で形成されているが、梁用断熱材３０を支持することができればよいため、必ずしも金属に限るものではない。例えば、繊維強化樹脂等によって形成されてもよい。
【００５０】
本実施形態では、断熱材支持金具２８は、固定片３２と載置片３４とで構成されており、固定片３２と載置片３４とは、略直交するように折曲されている。なお、載置片３４は、平面視で梁用断熱材３０の重心Ｇ（図１参照）と重なる位置を含むように設定されている。
【００５１】
ここで、図３〜図５には、本実施形態に係る床下断熱方法を示す作業工程について、左斜め前方側から見た分解斜視図が示されている。後述するが、図３には固定工程が示されており、図４には梁下断熱材載置工程が示され、図５には梁側面断熱材載置工程が示されている。
【００５２】
図１、図３に示されるように、床小梁１４には角型鋼管が用いられており、断面形状が上下方向を長手方向とする矩形状を成している。そして、床小梁１４は上壁部１４Ａ、下壁部１４Ｄ及び側壁部１４Ｂ、１４Ｃによって構成されている。断熱材支持金具２８の固定片３２は、床小梁１４の側面１４Ｃ１の下部側に当接した状態で、ビス３６を介して側壁部１４Ｃに固定されるようになっている。なお、床小梁１４の長手方向（矢印Ｌ方向）に沿った断熱材支持金具２８の固定位置は、後述する梁用断熱材３０の荷重、及び断熱材支持金具２８の剛性等を考慮して設定される。
【００５３】
このように、断熱材支持金具２８の固定片３２が床小梁１４の側壁部１４Ｃに固定された状態で、図１に示されるように、床小梁１４の下壁部１４Ｄの下面１４Ｄ１と断熱材支持金具２８の載置片３４の載置面３４Ａとの間には、隙間Ｈが設けられるようになっている。この隙間Ｈ内に梁用断熱材３０の一部を構成する梁下断熱材３８が嵌め込まれるようになっている。なお、隙間Ｈは予め決める必要はなく、ビス３６を固定する前に、取付ける梁用断熱材３０の板厚に合わせて位置決めすればよい。
【００５４】
ここで、梁用断熱材３０は、当該梁下断熱材３８と、床小梁１４の側面（第１側面）１４Ｂ１に当接する梁側面断熱材（第１梁側面断熱材）４０と、床小梁１４の側面（第２側面）１４Ｃ１に当接する梁側面断熱材（第２梁側面断熱材）４２と、を含んで構成されている。
【００５５】
なお、梁用断熱材３０の幅寸法Ｗは、床小梁１４の幅寸法Ｗ１、床小梁１４の側壁部１４Ｂを覆う梁側面断熱材４０の厚さｔ１、及び床小梁１４の側壁部１４Ｃを覆う梁側面断熱材４２の厚さｔ２分となる。また、梁用断熱材３０の長さは、継ぎ目が少ない分、できるだけ長い方が好ましいが、床下２０への搬入方法等を考慮して任意に設定される。
【００５６】
図４に示されるように、梁下断熱材３８は、平面視で矩形板状を成しており、床小梁１４の幅方向に沿って切欠き部４４が形成されている。切欠き部４４は、平面視で略矩形板状を成しており、梁下断熱材３８の長手方向に沿って所定の間隔で形成されている。
【００５７】
また、切欠き部４４には、断熱材支持金具２８の固定片３２が進入可能とされており、固定片３２が切欠き部４４の奥面４４Ａに当接した状態で、梁下断熱材３８の移動は規制されることとなる。そして、図１に示されるように、梁下断熱材３８には、固定片３２の進入方向に沿った切欠き部４４の奥方に当接部４６が設けられており、当該当接部４６に断熱材支持金具２８の載置片３４が当接する。
【００５８】
なお、梁下断熱材３８において、切欠き部４４の奥面４４Ａを基準として、床小梁１４の幅方向に沿って当接部４６が設けられた側を本体部（第１本体部）４８とし、切欠き部４４が設けられた側を本体部（第２本体部）５０としている。
【００５９】
図１、図５に示されるように、梁側面断熱材４０は、側面視で略矩形板状を成しており、当該梁側面断熱材４０の下面４０Ａは、梁下断熱材３８の本体部４８側の上面（第１本体部上）４８Ａに当接可能とされる。つまり、梁側面断熱材４０は梁下断熱材３８の本体部４８側に載置されることとなる。
【００６０】
また、梁側面断熱材４０の高さは、床下断熱材２２の下面２２Ａから梁下断熱材３８の本体部４８の上面４８Ａまでの高さと同じ又は若干高くなるように設定されている。このため、梁側面断熱材４０を梁下断熱材３８の本体部４８側に載置させる際、当該梁側面断熱材４０を、床下断熱材２２の下面２２Ａと梁下断熱材３８の本体部４８の上面４８Ａとの間に嵌合させ、床小梁１４の側面１４Ｂ１に当接させる。
【００６１】
一方、梁側面断熱材４２は、側面視で略矩形板状を成しており、梁側面断熱材４２の下面４２Ａからは、梁下断熱材３８に形成された切欠き部４４に対応する箇所において、当該切欠き部４４に嵌め込まれる直方体状の突設部５２が突出している。この突設部５２が梁下断熱材３８の切欠き部４４に嵌め込まれた状態で、当該梁側面断熱材４２の下面４２Ａは、梁下断熱材３８の本体部５０側の上面（第２本体部上）５０Ａに当接する。つまり、梁側面断熱材４２の突設部５２が梁下断熱材３８の切欠き部４４に嵌め込まれた状態で、梁側面断熱材４２は梁下断熱材３８の本体部５０側に載置されることとなる。
【００６２】
なお、梁側面断熱材４２の高さは、梁側面断熱材４０と同様に、床下断熱材２２の下面２２Ａから梁下断熱材３８の本体部５０の上面５０Ａまでの高さと同じ又は若干高くなるように設定されている。このため、梁側面断熱材４２を梁下断熱材３８の本体部５０側に載置させる際、当該梁側面断熱材４２を、床下断熱材２２の下面２２Ａと梁下断熱材３８の本体部５０の上面５０Ａの間に嵌合させ、床小梁１４の側面１４Ｃ１に当接させる。
【００６３】
（床下断熱構造の作用及び効果）
次に、本実施の形態に係る床下断熱構造の作用及び効果について説明する。
【００６４】
まず、図１、図３、図４に示されるように、床小梁１４の側壁部１４Ｃにおいて、高さ方向の所定の位置に断熱材支持金具２８の固定片３２を固定する（固定工程）。これにより、断熱材支持金具２８の載置片３４の載置面３４Ａと床小梁１４の下面１４Ｄ１との間に隙間Ｈが設けられる。
【００６５】
次に、当該隙間Ｈ内に梁下断熱材３８を嵌合させる。すなわち、梁下断熱材３８の切欠き部４４内へ断熱材支持金具２８の固定片３２を進入させ、当該固定片３２の進入方向に沿った切欠き部４４の奥方に位置する当接部４６に断熱材支持金具２８の載置片３４を当接させる。これにより、図１、図５に示されるように、梁下断熱材３８は、当接部４６を介して断熱材支持金具２８の載置片３４上に載置される（梁下断熱材載置工程）。
【００６６】
次に、当該床下断熱材２２の下面２２Ａと梁下断熱材３８の本体部４８の上面４８Ａとの間に梁側面断熱材４０を嵌め込んで床小梁１４の側面１４Ｂ１に当接させ、梁下断熱材３８の本体部４８上に梁側面断熱材４０を載置させる（第１梁側面断熱材載置工程）。
【００６７】
そして、床下断熱材２２の下面２２Ａと梁下断熱材３８の本体部５０の上面５０Ａとの間に梁側面断熱材４２を嵌め込んで床小梁１４の側面１４Ｃ１に当接させ、梁下断熱材３８の本体部５０上に梁側面断熱材４２を載置させる（第２梁側面断熱材載置工程）。
【００６８】
以上のような作業工程により、本実施形態では、床小梁１４は、当該床小梁１４の下面１４Ｄ１を含んで床小梁１４の幅方向の両側から梁用断熱材３０（梁下断熱材３８、梁側面断熱材４０及び梁側面断熱材４２）によって覆われることとなる。
【００６９】
これにより、本実施形態では、当該床小梁１４が外気に触れないようにすることができ、熱橋対策を図ることができる。したがって、本実施形態では、床下２０における断熱性を確保することが可能となる。また、本実施形態では、断熱材支持金具２８は、固定片３２を介して床小梁１４の下部２１側に固定されるため、リフォーム等による場合であっても、適用することが可能となる。
【００７０】
さらに、本実施形態では、梁用断熱材３０は、断熱材支持金具２８の載置片３４によって載置された状態で下側から支持されるようになっている。すなわち、断熱材支持金具２８に載置された梁下断熱材３８に対して、梁側面断熱材４０及び梁側面断熱材４２がそれぞれ載置されるようになっている。このため、例えば、断熱材支持金具２８に対して、図示はしないが、梁用断熱材３０が上から吊り下げられた状態で支持された場合と比較して、梁用断熱材３０の支持状態は安定する。
【００７１】
また、本実施形態では、断熱材支持金具２８には、梁用断熱材３０の一部を構成する梁下断熱材３８が載置される載置片３４の載置面３４Ａが、床小梁１４の下面１４Ｄ１と対向して配置されており、梁下断熱材３８は、床小梁１４の下面１４Ｄ１と載置片３４の載置面３４Ａとの間に嵌め込まれている。
【００７２】
このように、床小梁１４の下面１４Ｄ１と載置片３４の載置面３４Ａとの間に梁下断熱材３８が嵌め込まれることによって、床小梁１４の下面１４Ｄ１と載置片３４の載置面３４Ａの間に梁下断熱材３８が単に配置された場合と比較して、梁下断熱材３８をより安定して支持することが可能となる。
【００７３】
また、前述したように、本実施形態では、図４に示されるように、当該梁下断熱材３８は板状を成しており、切欠き部４４の奥面４４Ａを基準として床小梁１４の幅方向に沿って、当接部４６（図１参照）が設けられた側を構成する本体部４８と、切欠き部４４が設けられた側を構成する本体部５０と、を含んで構成されている。
【００７４】
一方、図１、図５に示されるように、梁用断熱材３０は、梁側面断熱材４０と梁側面断熱材４２とをさらに含んで構成されており、梁側面断熱材４０は、床下断熱材２２の下面２２Ａと梁下断熱材３８の本体部４８の上面４８Ａとの間に嵌め込まれて床小梁１４の側面４０Ｂ１に当接するようになっている。また、梁側面断熱材４２は、梁下断熱材３８の切欠き部４４に突設部５２が嵌め込まれると共に、床下断熱材２２の下面２２Ａと梁下断熱材３８の本体部５０の上面５０Ａとの間に嵌め込まれて床小梁１４の側面１４Ｃ１に当接するようになっている。
【００７５】
すなわち、梁下断熱材３８は、床小梁１４の下面１４Ｄ１に対して圧接され、梁側面断熱材４０は、少なくとも床下断熱材２２及び梁下断熱材３８に対して圧接された状態で床小梁１４の側面１４Ｂ１に当接し、梁側面断熱材４２は、少なくとも床下断熱材２２及び梁下断熱材３８に対して圧接された状態で床小梁１４の側面１４Ｃ１に当接する。
【００７６】
このように、各断熱材（梁下断熱材３８、梁側面断熱材４０、梁側面断熱材４２）は、これらが当接する各部材に対して嵌め込まれた状態で、床小梁１４の各部位（下面１４Ｄ１、側面１４Ｂ１、側面１４Ｃ１）に当接する。このため、図示はしないが、当該各断熱材が一体で成形された場合と比較して、本実施形態では、各断熱材（梁下断熱材３８、梁側面断熱材４０、梁側面断熱材４２）における各部位と床小梁１４との間に隙間が発生するおそれが無い。さらに、各断熱材（梁下断熱材３８、梁側面断熱材４０、梁側面断熱材４２）は、床小梁１４の各部位（下面１４Ｄ１、側面１４Ｂ１、側面１４Ｃ１）における寸法公差にも追従し、床小梁１４の各面に対して密着性を向上させることが可能となる。
【００７７】
また、床下断熱材２２に対し、床小梁１４を介して梁側面断熱材４０、４２を当該床小梁１４の幅方向の両側にそれぞれ配置することで、梁用断熱材３０をバランス良く、安定して支持することができる。
【００７８】
ところで、本実施形態では、梁下断熱材３８は、切欠き部４４と当接部４６とを含んで構成されている。当該切欠き部４４は、載置片３４を支持する固定片３２が床小梁１４の幅方向に沿って進入可能に切り欠かれており、当接部４６は、当該固定片３２の進入方向に沿った切欠き部４４の奥方に位置し、載置片３４が当接するようになっている。
【００７９】
すなわち、本実施形態では、梁下断熱材３８の当接部４６が断熱材支持金具２８の載置片３４に当接した状態で、当該載置片３４を介して、梁下断熱材３８は断熱材支持金具２８に載置されることとなる。このように、梁下断熱材３８に切欠き部４４を形成し、当該切欠き部４４の奥方に位置する当接部４６に載置片３４を当接させるようにすることで、当該断熱材支持金具２８を介して、床小梁１４の幅方向及び長手方向に沿って梁下断熱材３８の位置決めをすることが可能となる。
【００８０】
また、当該梁下断熱材３８に切欠き部４４が形成され、当該切欠き部４４の奥方に位置する当接部４６を介して、当該梁下断熱材３８が断熱材支持金具２８の載置片３４によって支持されることによって、梁下断熱材３８の重心Ｇの位置が平面視で載置片３４と重なるように設定することができる。これにより、本実施形態では、梁用断熱材３０では、載置片３４の先端を中心として下方側へ回転しようするモーメントの発生が抑制され、安定した状態で当該載置片３４に載置された状態が維持されることとなる。そして、梁下断熱材３８の重心Ｇの位置が平面視で載置片３４と重なるように設定し、梁下断熱材３８を支持しやすくすることにより、より安定した梁下断熱材３８の配置が可能となる。
【００８１】
また、本実施形態では、床下２０側から断熱材支持金具２８を組付け（固定）可能とされ、床小梁１４に断熱材支持金具２８を固定させた後に、梁用断熱材３０（梁下断熱材３８、梁側面断熱材４０及び梁側面断熱材４２）の組付けが可能となる。このため、本実施形態では、床板２４や既存の床下断熱材２２に影響を与えることなく、床小梁１４の断熱補強を行うことができる。
【００８２】
さらに、本実施形態では、梁用断熱材３０（梁下断熱材３８、梁側面断熱材４０及び梁側面断熱材４２）は、それぞれ断熱材支持金具２８を含む各部材に嵌合させることによって組付けられている（固定されている）だけであるため、必要に応じて各断熱材の脱着が可能となる。なお、梁下断熱材３８、梁側面断熱材４０及び梁側面断熱材４２は、断熱材支持金具２８を含む各部材に対して、必ずしもそれぞれ嵌合させる必要はなく、接着剤等によって固定されるようにしてもよい。
【００８３】
また、比較例として、図示はしないが、例えば、断熱材支持金具２８が接着により床小梁１４に対して固定された場合、床小梁１４から当該断熱材支持金具２８を取り外すことは困難である。これに対して、本実施形態では、図１、図３に示されるように、断熱材支持金具２８は、床小梁１４に対してビス３６により固定されているため、当該ビス３６を外すことで簡単に断熱材支持金具２８を取り外すことができる。
【００８４】
このため、例えば、住宅の使用期間中に必要となる床下点検時の点検スペースや床下配管等のメンテナンス更新時において、梁用断熱材３０のみを取り外すことにより、或いは、梁用断熱材３０と断熱材支持金具２８を取り外すことにより、必要な作業スペースを容易に確保することができる。特に、リフォームを想定した場合、築後年数の高い建物ほど床板空間の高さは低くスペースの確保が必要となるため、本実施形態では、断熱材支持金具２８及び梁用断熱材３０を容易に取り外すことができるため、作業性がよい。裏を返せば、本実施形態では、既存の床構造に対して、新たに断熱材を付加することも可能である。
【００８５】
そして、本実施形態では、図１に示されるように、梁用断熱材３０が複数の断熱材（梁下断熱材３８、梁側面断熱材４０、及び梁側面断熱材４２）によって構成される。これにより、図示はしないが、梁用断熱材が一つの断熱材で構成された場合と比較して、本実施形態では、梁用断熱材３０を床小梁１４の各部位（下面１４Ｄ１、側面１４Ｂ１、側面１４Ｃ１）に対して密着させた状態で配置することができ、安定した状態で当該梁用断熱材３０を載置片３４上に載置させることができる。
【００８６】
また、本実施形態では、予め設計された各部材（断熱材支持金具２８、梁下断熱材３８、梁側面断熱材４０、梁側面断熱材４２）を決められた手順で組付ければよく、施工時の調整作業が少ないため、組付け精度の影響を受け難く作業性も良い。
【００８７】
さらに、本実施形態では、図１、図２に示されるように、断熱材支持金具２８は、床小梁１４に固定される固定片３２が、載置片３４を支持する支持片を兼ねており、固定片３２と載置片３４とは繋がって形成されている。このように、断熱材支持金具２８において、固定片３２と支持片とを兼用することで、当該断熱材支持金具２８は、固定片３２と載置片３４とで構成されてもよい。この場合、断熱材支持金具２８の形状は簡易化され、低コストで断熱材支持金具２８を形成することが可能となる。
【００８８】
（本実施形態の変形例）
以上の実施形態では、図１、図３に示されるように、床下断熱材２２の下面２２Ａと断熱材支持金具２８に固定された梁下断熱材３８の本体部４８の上面４８Ａとの間に梁側面断熱材４０が嵌め込まれ、床下断熱材２２の下面２２Ａと梁下断熱材３８の本体部５０の上面５０Ａとの間に梁側面断熱材４２が嵌め込まれるようになっているが、これに限るものではない。
【００８９】
例えば、変形例１として、図６に示されるように、床下断熱材２２の下方側に別途床下断熱材（第２床下断熱材）５４が設けられてもよい。このように、床下断熱材２２の下方側にさらに床下断熱材５４が設けられることによって、床上１８と床下２０の間の断熱効果をさらに向上させることができる。つまり、本実施形態では、既に床下断熱材２２が設けられている既存床構造に対して、新たな床下断熱材５４を付加することで断熱性能を向上させる断熱改修を行うことができる。
【００９０】
なお、この場合、前述した第１梁側面断熱材載置工程において、床下断熱材２２に代えて、床下断熱材５４の下面５４Ａと梁下断熱材３８の本体部４８の上面４８Ａとの間に梁側面断熱材４０を嵌め込むこととなる。また、第２梁側面断熱材載置工程では、床下断熱材２２に代えて、床下断熱材５４の下面５４Ａと梁下断熱材３８の本体部５０の上面５０Ａとの間に梁側面断熱材４２を嵌め込むこととなる。
【００９１】
また、上記実施形態では、図１、図５に示されるように、断熱材支持金具２８を床小梁１４に固定した後、床小梁１４の下壁部１４Ｄの下面１４Ｄ１と断熱材支持金具２８の載置片３４の載置面３４Ａとの間に梁下断熱材３８を嵌め込むようになっているが、これに限るものではない。つまり、梁下断熱材３８の下面３８Ａが断熱材支持金具２８の載置片３４の載置面３４Ａに当接し、梁下断熱材３８が下面３８Ａ側から支持されるというものではない。
【００９２】
例えば、変形例２として、図７に示されるように、断熱材支持金具２８の載置片３４に梁下断熱材３８の板厚方向の中間部を突き刺すことにより、梁下断熱材３８の板厚方向の中間部において当該梁下断熱材３８を下側から支持されるようにしてもよい。
【００９３】
この場合、断熱材支持金具２８の載置片３４は、梁下断熱材３８によって覆われることになる。すなわち、断熱材支持金具２８の載置片３４は、外部に露出しないため、この部分の熱橋も無くなり、床下２０における断熱性をさらに効果的に確保することが可能となる。
【００９４】
また、本実施形態では、梁下断熱材３８を、床小梁１４の下壁部１４Ｄと断熱材支持金具２８の載置片３４の間に嵌め込む必要がないため、梁下断熱材３８の板厚が一定以上の寸法を有していれば用いることができる。これにより、断熱材支持金具２８を共通化することができる。
【００９５】
＜第２実施形態＞
以下、第２実施形態に係る床下断熱構造について説明する。なお、以下の説明において、第１実施形態と略同じ構成については同じ符号を用いて説明を割愛する。
【００９６】
（断熱材支持具の構成）
本実施形態に係る断熱材支持具の構成について説明する。
【００９７】
図８には、本実施の形態に係る断熱材支持金具（断熱材支持具）６０を左斜め前方側から見た斜視図が示されている。本実施形態では、断熱材支持金具６０は、固定部（固定片）６２と、載置部（載置片）６４と、支持部（支持片）６６と、を含んで構成されており、固定部６２と載置部６４の間には、正面視で略逆Ｌ字状を成す支持部６６が設けられている。
【００９８】
支持部６６は、固定部６２と繋がり略水平方向に沿って形成された横壁部６６Ａと、載置部６４と繋がり上下方向に沿って形成された縦壁部（支持片）６６Ｂと、で構成されている。また、載置部６４は、縦壁部６６Ｂを基準に断熱材支持金具６０の左右で分割され、縦壁部６６Ｂの左側には、載置片６４Ａが設けられ、縦壁部６６Ｂの右側には、載置片６４Ｂが設けられている。載置片６４Ａは、縦壁部６６Ｂの前後方向に沿った寸法と同じ寸法で形成されているが、載置片６４Ｂは、後述する切欠き部７８の寸法に合わせて形成され、横壁部６６Ａの後部側に配置されている。
【００９９】
ここで、図１０〜図１３には、本実施形態に係る床下断熱方法を示す作業工程について、左斜め前方側から見た分解斜視図が示されている。後述するが、図１０には固定工程が示されており、図１１及び図１２には梁下断熱材載置工程が示され、図１３には梁側面断熱材載置工程が示されている。
【０１００】
図９には、床小梁１４を含む床下断熱構造を示す断面図が示されており、図９、図１０に示されるように、まず、断熱材支持金具６０の固定部６２を床小梁１４の側壁部１４Ｃの下部側に固定する。これにより、床小梁１４の下壁部１４Ｄの下面１４Ｄ１と断熱材支持金具６０の載置片６４Ａの載置面６４Ａ１との間には、隙間Ｈ１が設けられ、断熱材支持金具６０の横壁部６６Ａの下面６６Ａ１と断熱材支持金具６０の載置片６４Ｂの載置面６４Ｂ１との間には、隙間Ｈ２が設けられる。
【０１０１】
そして、図９、図１２に示されるように、当該隙間Ｈ１内には、梁用断熱材６８の一部を構成する梁下断熱材７０が嵌め込まれるようになっており、当該隙間Ｈ２内には、梁用断熱材６８の他の一部を構成する切欠き用断熱材７２が嵌め込まれるようになっている。
【０１０２】
本実施形態では、梁用断熱材６８は、当該梁下断熱材７０、切欠き用断熱材７２と、床小梁１４の側面（第１側面）１４Ｂ１に当接する梁側面断熱材（第１梁側面断熱材）７４と、床小梁１４の側面（第２側面）１４Ｃ１に当接する梁側面断熱材（第２梁側面断熱材）７６と、を含んで構成されている。
【０１０３】
ここで、図１１に示されるように、梁下断熱材７０は、平面視で矩形板状を成しており、床小梁１４の幅方向に沿って切欠き部７８が形成されている。切欠き部７８は、平面視で略矩形板状を成しており、梁下断熱材７０の長手方向に沿って所定の間隔で形成されている。
【０１０４】
また、切欠き部７８には、断熱材支持金具６０の支持部６６の縦壁部６６Ｂが進入可能とされており、当該縦壁部６６Ｂが切欠き部７８の奥面７８Ａに当接した状態で、梁下断熱材７０の移動は規制されることとなる。そして、図９に示されるように、梁下断熱材７０には、縦壁部６６Ｂの進入方向に沿った切欠き部７８の奥方に当接部８０が設けられており、当該当接部８０に断熱材支持金具６０の載置片６４Ａが当接する。
【０１０５】
また、図９、図１１に示されるように、梁下断熱材７０において、切欠き部７８の奥面７８Ａを基準として、床小梁１４の幅方向に沿って当接部８０が設けられた側を本体部（第１本体部）８２とし、切欠き部７８が設けられた側を本体部（第２本体部）８４としている。
【０１０６】
一方、切欠き用断熱材７２は、直方体状に形成され、当該切欠き部７８に嵌合可能とされている。この切欠き用断熱材７２が切欠き部７８に嵌め込まれた状態で、当該切欠き用断熱材７２は、載置片６４Ｂに載置されることとなる。
【０１０７】
図１３に示されるように、梁側面断熱材７４は、側面視で略矩形板状を成しており、当該梁側面断熱材７４の下面７４Ａは、梁下断熱材７０の本体部８２側の上面（第１本体部上）８２Ａに当接可能とされる。つまり、梁側面断熱材７４は、梁下断熱材７０の本体部８２側に載置される。
【０１０８】
また、図９、図１３に示されるように、梁側面断熱材７４の高さは、床下断熱材２２の下面２２Ａから梁下断熱材７０の本体部８２の上面８２Ａまでの高さと同じ又は若干高くなるように設定されている。このため、梁側面断熱材７４を梁下断熱材７０の本体部８２側に載置させる際、当該梁側面断熱材７４を、床下断熱材２２の下面２２Ａと梁下断熱材７０の本体部８２の上面８２Ａとの間に嵌合させると共に、床小梁１４の側面１４Ｂ１に当接させる。
【０１０９】
一方、梁側面断熱材７６は、梁側面断熱材７４と略同じ形状を成しており、当該梁側面断熱材７６の下面７６Ａは、梁下断熱材７０の本体部８４側の上面（第２本体部上）８４Ａ及び切欠き用断熱材７２の上面７２Ａに当接する。つまり、梁側面断熱材７６は、梁下断熱材７０の本体部８４側及び切欠き用断熱材７２に載置されることとなる。
【０１１０】
また、梁側面断熱材７６の高さは、梁側面断熱材７４と同様に、床下断熱材２２の下面２２Ａから梁下断熱材７０の本体部８４の上面８４Ａ（及び切欠き用断熱材７２の上面７２Ａ）までの高さと同じ又は若干高くなるように設定されている。このため、梁側面断熱材７６を梁下断熱材７０の本体部８２側及び切欠き用断熱材７２に載置させる際、当該梁側面断熱材７６を、床下断熱材２２の下面２２Ａと梁下断熱材７０の本体部８４の上面８４Ａ及び切欠き用断熱材７２の上面７２Ａの間に嵌合させると共に、床小梁１４の側面１４Ｃ１に当接させる。
【０１１１】
本実施形態では、梁側面断熱材７４において、突設部５２（図５参照）を形成する必要がないため、形状を単純化させることができる。また、本実施形態では、梁側面断熱材７４と梁側面断熱材７６とは、略同じ形状にすることができるため、生産性が向上し、コストダウンを図ることができる。
【０１１２】
（本実施形態の変形例）
以上の実施形態では、例えば、断熱材支持金具６０の固定部６２を床小梁１４の側壁部１４Ｃに固定しているが、床小梁１４の固定部位はこれに限るものではない。
【０１１３】
例えば、変形例１として、図１４に示されるように、断熱材支持金具（断熱材支持具）９０の固定片９２が、床小梁１４の下壁部１４Ｄに固定されるように形成されてもよい。この場合、断熱材支持金具９０は、固定片９２の下方側に設けられている載置片９４と当該固定片９２との間には、支持片９６が形成されている。そして、当該支持片９６を基準として、固定片９２と載置片９４とは略水平方向に沿って反対側へ向かって延びている。
【０１１４】
本実施形態では、当該固定片９２が床小梁１４の下壁部１４Ｄに固定された状態で、床小梁１４の下壁部１４Ｄと載置片９４との間に、図５に示す梁下断熱材３８が配置されると共に、床小梁１４の側壁部１４Ｂ、１４Ｃには、梁側面断熱材４０、４２がそれぞれ当接する。
【０１１５】
また、変形例２として、図１５（Ａ）に示される断熱材支持金具（断熱材支持具）１００が用いられてもよい。当該断熱材支持金具１００では、床小梁１４の下壁部１４Ｄに当接可能な当接片１０２が設けられている。そして、当該当接片１０２の幅方向の両端部には、床小梁１４の側壁部１４Ｂ及び側壁部１４Ｃを挟持する挟持部１０４、１０６が設けられている。
【０１１６】
図１５（Ａ）、（Ｂ）に示されるように、挟持部１０４、１０６は、側壁部１４Ｂ、側壁部１４Ｃにそれぞれ当接する当接片１０８、１１０と、ヒンジ部１１２、１１４と、把持片１１６、１１８と、をそれぞれ備えており、ヒンジ部１１２、１１４は、当接片１０８、１１０の長手方向の中央部にそれぞれ設けられている。そして、当該ヒンジ部１１２、１１４を介して把持片１１６、１１８は、それぞれ当接片１０８、１１０に取付けられており、把持片１１６、１１８は、ヒンジ部１１２、１１４を中心に当接片１０８、１１０に対して矢印Ａ方向に沿って回動可能とされている。
【０１１７】
また、当接片１０８、１１０は、先端に向かうにつれて互いに近づく方へ向かって傾斜しており、当接片１０８と当接片１１０の先端における離間距離は、床小梁１４の幅寸法よりも狭くなるように設定されている。
【０１１８】
そして、矢印Ｂ方向へ向かって把持片１１６、１１８の先端側が互いに近づくように当該把持片１１６、１１８を挟持することで、図１５（Ｃ）に示されるように、把持片１１６、１１８及びヒンジ部１１２、１１４を介して、当接片１０８、１１０の先端が互いに離間し、これにより、当該当接片１０８、１１０間に床小梁１４を挿入させることができるようになっている。また、当接片１０２、当接片１０８、１１０によるバネの付勢力により床小梁１４に断熱材支持金具１００を安定して取付けることができる。
【０１１９】
当接片１０８、１１０間に床小梁１４が挿入され、当該床小梁１４の下壁部１４Ｄに断熱材支持金具１００の当接片１０２を当接させた状態で、床小梁１４の側壁部１４Ｂ及び側壁部１４Ｃは、当接片１０８、１１０によって挟持される。この状態で、ヒンジ部１１２、１１４を介して、把持片１１６、１１８を回動させ当該把持片１１６、１１８を当接片１０８、１１０に重ねる。
【０１２０】
また、断熱材支持金具１００は、当接片１０２と対向して載置片１２０が設けられており、当接片１０２と載置片１２０との間には支持片１２２が形成されている。このため、床小梁１４に断熱材支持金具１００が固定された状態で、当接片１０２と載置片１２０との間に、図５に示す梁下断熱材３８が配置されると共に、床小梁１４の側壁部１４Ｂ、１４Ｃには、図５に示す梁側面断熱材４０、４２がそれぞれ当接する。
【０１２１】
なお、本実施形態では、図１５（Ａ）の二点鎖線で示すように、把持片１１６、１１８の先端部１１６Ａ、１１８Ａにヒンジ部１２４、１２６をそれぞれ設け、当該把持片１１６、１１８の先端部１１６Ａ、１１８Ａが把持片本体１２８、１３０に対して回動可能となるように設定する。
【０１２２】
そして、把持片１１６、１１８を当接片１０８、１１０に重ねた状態で、ヒンジ部１２４、１２６を介して把持片１１６、１１８の先端部１１６Ａ、１１８Ａを、それぞれ略水平となるように回動させる。これにより、把持片１１６、１１８の先端部１１６Ａ、１１８Ａが支持部材となるようにしてもよく、把持片１１６、１１８の先端部１１６Ａ、１１８Ａによって、図６に示す床下断熱材５４を支持させるようにしてもよい。
【０１２３】
＜第３実施形態＞
以下、第３実施形態に係る床下断熱構造について説明する。なお、以下の説明において、第１実施形態と略同じ構成については同じ符号を用いて説明を割愛する。
【０１２４】
上記実施形態では、例えば、図１に示されるように、床梁として角型鋼管の床小梁１４が用いられた例について説明しているが、本態様における床梁の形状はこれに限るものではない。
【０１２５】
例えば、図１６（Ａ）に示されるように、床梁として溝型鋼の床小梁１３４や図示はしないがリップ溝型鋼が用いられてもよい。例えば、図１６（Ａ）では、床小梁１３４の側壁部を構成するウエブ部１３６の外面１３６Ａ側に、断熱材支持金具２８の固定片３２が固定される。なお、図１６（Ｂ）に示されるように、床小梁１３４のウエブ部１３６の内面１３６Ｂ側に、断熱材支持金具（断熱材支持具）１３８の固定片１４０が固定されてもよいのは勿論のことである。
【０１２６】
ここで、図１６（Ａ）で示す断熱材支持金具２８は、床小梁１３４のウエブ部１３６の外面１３６Ａに固定される固定片３２と梁下断熱材３８が配置される載置片３４とで構成されている。これに対して、図１６（Ｂ）で示す断熱材支持金具１３８は、床小梁１３４の下部を構成するフランジ部１４２の上方側に対向して配置される横壁部１４４と、当該フランジ部１４２の下方側に対向して配置される載置片１４６と、が設けられ、当該横壁部１４４と載置片１４６とを繋ぐ支持片１４８が設けられている。このように、床小梁１３４の固定位置に合わせて、断熱材支持金具１３８の形状は適宜変更可能である。
【０１２７】
また、上記以外に、図１６（Ｃ）に示されるように、床梁として二つの溝型鋼を連結させた床大梁１５０、１５２に適用されてもよい。この場合、断熱材支持金具１３８の固定片１４０が床大梁１５２のウエブ部（床梁の側壁部）１５４の内面１５４Ａに当接すると共に、当該ウエブ部１５４の内面１５４Ａ側からウエブ部１５４及び床大梁１５０のウエブ部（床梁の側壁部）１５６をビス３６が貫通して、当該断熱材支持金具１３８が床大梁１５０、１５２に固定される。
【０１２８】
以上の実施形態では、図１６（Ａ）〜（Ｃ）に示されるように、床小梁１３４、床大梁１５０、１５２の内部には、断熱材１５８がそれぞれ設けられている。すなわち、本実施形態では、床梁の形状に合わせて断熱材支持金具の形状を適宜変更することによって、床梁の形状に拘わらず適用可能となる。
【０１２９】
また、以上の本実施形態では、ユニット工法による住宅について説明したが、これ以外の工法（例えば、鉄骨軸組み工法）による建物であっても勿論良い。
【０１３０】
本発明は、上記の実施形態に限るものではなく、その主旨を逸脱しない範囲内において種々の変形、変更、改良が可能である。例えば、上記に示した実施形態及び変形例は、適宜、複数を組み合わせて構成してもよい。
【符号の説明】
【０１３１】
１２      床部
１４      床小梁（床梁）
１４Ｂ    側壁部（床梁の側壁部）
１４Ｂ１  側面（第１側面）
１４Ｃ    側壁部（床梁の側壁部）
１４Ｃ１  側面（第２側面）
１４Ｄ１  下面（床梁の下面）
２０      床下
２２      床下断熱材（第１床下断熱材）
２４      床板
２８      断熱材支持金具（断熱材支持具）
３０      梁用断熱材
３２      固定片（支持片、断熱材支持具）
３４      載置片（断熱材支持具）
３８      梁下断熱材（梁用断熱材）
４０      梁側面断熱材（梁用断熱材）
４２      梁側面断熱材（梁用断熱材）
４４      切欠き部
４４Ａ    奥面（切欠き部の奥面）
４６      当接部
４８      本体部（第１本体部）
４８Ａ    上面（第１本体部上）
５０      本体部（第２本体部）
５０Ａ    上面（第２本体部上）
５４      床下断熱材（第２床下断熱材）
６０      断熱材支持金具（断熱材支持具）
６２      固定部（固定片、、断熱材支持具）
６４      載置部（載置片、、断熱材支持具）
６４Ａ    載置片（断熱材支持具）
６４Ｂ    載置片（断熱材支持具）
６６      支持部（支持片、断熱材支持具）
６６Ｂ    縦壁部（支持片、断熱材支持具）
６８      梁用断熱材
７０      梁下断熱材（梁用断熱材）
７２      切欠き用断熱材（梁下断熱材、梁用断熱材）
７４      梁側面断熱材（梁用断熱材）
７６      梁側面断熱材（梁用断熱材）
７８      切欠き部
７８Ａ    奥面（切欠き部の奥面）
８０      当接部
８２      本体部（第１本体部）
８２Ａ    上面（第１本体部上）
８４      本体部（第２本体部）
８４Ａ    上面（第２本体部上）
９０      断熱材支持金具（断熱材支持具）
９２      固定片（断熱材支持具）
９４      載置片（断熱材支持具）
９６      支持片（断熱材支持具）
１００    断熱材支持金具（断熱材支持具）
１０２    当接片（固定片、断熱材支持具）
１０８    当接片（固定片、断熱材支持具）
１１０    当接片（固定片、断熱材支持具）
１２０    載置片（断熱材支持具）
１２２    支持片（断熱材支持具）
１３４    床小梁（床梁）
１３６    ウエブ部（床梁の側壁部）
１３８    断熱材支持金具（断熱材支持具）
１４０    固定片（断熱材支持具）
１４６    載置片（断熱材支持具）
１４８    支持片（断熱材支持具）
１５０    床大梁（床梁）
１５２    床大梁（床梁）
１５４    ウエブ部（床梁の側壁部）
１５６    ウエブ部（床梁の側壁部）
Ｇ        重心（梁下断熱材の重心）
【図１】
2020076238.tif 000003
【図２】
2020076238.tif 000004
【図３】
2020076238.tif 000005
【図４】
2020076238.tif 000006
【図５】
2020076238.tif 000007
【図６】
2020076238.tif 000008
【図７】
2020076238.tif 000009
【図８】
2020076238.tif 000010
【図９】
2020076238.tif 000011
【図１０】
2020076238.tif 000012
【図１１】
2020076238.tif 000013
【図１２】
2020076238.tif 000014
【図１３】
2020076238.tif 000015
【図１４】
2020076238.tif 000016
【図１５】
2020076238.tif 000017
【図１６】
2020076238.tif 000018